(57)【要約】【課題】環境の違いに応じて色温度を調整することができるランプの色温度可変装置を提供する。【解決手段】ランプの色温度可変装置１００は、ランプホルダ１０、回転機構２０及びカラーレンズ３０を備える。ランプホルダ１０は、前部１１と、前部１１と対をなす後部１２とを有する。前部１１には、発光源１４が内側に設けられた反射槽１３が凹設される。回転機構２０は、ランプホルダ１０に配設される。カラーレンズ３０は、発光源１４の前方に配設され、かつ回転機構２０に接続され、回転機構２０が駆動して回転し、第１の位置に位置するときに発光源１４の前方から離れ、第２の位置に位置するときに発光源１４の前方に止められる。回転機構２０は、固定フレーム２１を有する。固定フレーム２１上には、枢着部２２及び駆動部材２３が配設される。【選択図】図１
0003186372.tif 000002
【実用新案登録請求の範囲】
【請求項１】
ランプホルダ、回転機構及びカラーレンズを備えたランプの色温度可変装置であって、
ランプホルダは、前部と、前部と対をなす後部とを有し、前部には、発光源が内側に設けられた反射槽が凹設され、
回転機構は、ランプホルダに配設され、
カラーレンズは、発光源の前方に配設され、かつ回転機構に接続され、回転機構が駆動して回転し、第１の位置に位置すると、発光源の前方から離れ、第２の位置に位置すると、発光源の前方に止められることを特徴とするランプの色温度可変装置。
【請求項２】
回転機構は、固定フレームを有し、
固定フレーム上には、枢着部及び駆動部材が配設され、カラーレンズ上には、枢着棒が設けられ、
枢着棒は、枢着部に枢着されるとともに、駆動部材に接続され、カラーレンズが駆動部材により駆動し、枢着棒を中心軸として回転することを特徴とする請求項１に記載のランプの色温度可変装置。
【請求項３】
枢着部は、１対の突片部であり、
枢着棒は、カラーレンズの側部にカラーレンズに対して平行に設けられ、突片部に両端がそれぞれ枢着されることを特徴とする請求項２に記載のランプの色温度可変装置。
【請求項４】
駆動部材は、第１の歯車と接続された出力軸を有するモータであり、
カラーレンズの枢着棒は、第２の歯車に接続され、第１の歯車と第２の歯車とが噛合することを特徴とする請求項２に記載のランプの色温度可変装置。
【請求項５】
駆動部材は、枢着棒が接続されたサーボモータであることを特徴とする請求項２に記載のランプの色温度可変装置。
【請求項６】
駆動部材は電磁石であり、電磁石は、伸縮自在のカップリング部材と接続され、カップリング部材の他端には、鉄ブロックが設けられ、鉄ブロック上には、接続孔が形成され、カラーレンズ上には接続孔に対応するように接続ピンが設けられ、接続ピンは、枢着孔内に枢着されるとともに、弾性部材を含み、弾性部材は、一端が固定フレームに接続され、他端が接続ピンに接続されることを特徴とする請求項２に記載のランプの色温度可変装置。
【請求項７】
枢着部は枢着孔であり、
枢着棒は、カラーレンズの側部にカラーレンズに対して垂直に配設され、枢着孔に枢着される自由端を有することを特徴とする請求項２に記載のランプの色温度可変装置。
【請求項８】
駆動部材は、ギザギザに接続された伸縮ロッドを有するシリンダであり、
枢着棒は、ギザギザと噛合される第３の歯車に接続されることを特徴とする請求項２に記載のランプの色温度可変装置。
【請求項９】
回転機構は、固定フレームを有し、
固定フレーム上には、穿孔が形成されるとともに、固定フレームの側部に駆動部材を設け、駆動部材は、モータであり、モータは出力軸を有し、出力軸が穿孔に貫設され、カラーレンズは、固定フレームの他側に設けられ、カラーレンズ上には、穿孔に対応した貫通孔が形成され、出力軸を貫通孔へ挿着させ、カラーレンズを出力軸に応じて駆動させ、出力軸を中心軸として発光源を回転させることを特徴とする請求項１に記載のランプの色温度可変装置。
【請求項１０】
回転機構は、固定フレームを有し、
固定フレーム上には、筐体が枢着され、筐体の外周側面には、歯部が設けられ、固定フレーム上には、出力軸を有するモータである駆動部材が配設され、出力軸には、第１の歯車が接続され、第１の歯車は、歯部に噛合されることを特徴とする請求項１に記載のランプの色温度可変装置。
【考案の詳細な説明】
【技術分野】
【０００１】
本考案は、ランプ装置に関するものであり、さらに詳しくは、ランプの光線の色温度を変化させるランプの色温度可変装置、特に色温度回転可変装置に関するものである。
【背景技術】
【０００２】
光線は、色温度に応じて異なる照明特性を有する。例えば、色温度が２３００Ｋ〜３８００Ｋであるとき、光線は黄色っぽくなって光透過性が好ましく、雨天又は霧が発生した状況下でも照明状況が好適である。一方、色温度が４２００Ｋより高い場合、光線の色が白色に変化し、視覚が明るくなるが、これと同時に光透過性が下がり、雨天又は霧が発生した状況では照明状況が好ましくない。従って、このように、環境の違いに応じて色温度を調整することができる色温度を変化させる機能を有するランプが求められていた。
【０００３】
特開２０１０−１７６９８６号公報（以下、「特許文献１」という。）には、光色が異なる複数の光源を有する照明光源と、複数の光源を個別かつ任意の光量で発光させる駆動手段と、人による操作入力を受け付ける操作入力受付手段と、照明光源から照射される照明光の色温度が操作入力に応じた色温度となるように照明光源の各光源の光量を決定する決定手段とを備え、駆動手段は、決定手段が決定した光量で発光させ、決定手段は、操作入力の変化量と、変化量に対応する照明光の逆数色温度の差分とが比例関係を持つように各光源の光量を決定する構成を有する色温度可変装置が記載されている。
【０００４】
また、特開２０１０−５６０８５号公報（以下、「特許文献２」という。）には、複数のタッチスイッチがカラーパターンに対応して設け、制御部材を利用し、タッチスイッチを介して出力するカラーの信号を受信し、信号に基づき、対応するパルス幅変調信号を出力し、発光ダイオードイルミネーションの三色の発光ダイオードの電流または電圧を制御することによる発光ダイオードイルミネーションの色温度制御器が記載されている。
しかし、特許文献１及び２に記載の色温度可変装置の簡便性の観点からは改良すべき点も指摘される。      
【先行技術文献】
【特許文献】
【０００５】
【特許文献１】特開２０１０−１７６９８６号公報
【特許文献２】特開２０１０−５６０８５号公報
【考案の概要】
【考案が解決しようとする課題】
【０００６】
本考案の課題は、環境の違いに応じて色温度を調整することができるランプの色温度可変装置を提供することにある。
【課題を解決するための手段】
【０００７】
上記課題を解決するために、本考案によれば、ランプホルダ、回転機構及びカラーレンズを備えたランプの色温度可変装置であって、
ランプホルダは、前部と、前部と対をなす後部とを有し、前部には、発光源が内側に設けられた反射槽が凹設され、回転機構は、ランプホルダに配設され、カラーレンズは、発光源の前方に配設され、かつ回転機構に接続され、回転機構が駆動して回転し、第１の位置に位置すると、発光源の前方から離れ、第２の位置に位置すると、発光源の前方に止められることを特徴とするランプの色温度可変装置
が提供される。
【０００８】
回転機構は、固定フレームを有し、固定フレーム上には、枢着部及び駆動部材が配設され、カラーレンズ上には、枢着棒が設けられ、枢着棒は、枢着部に枢着されるとともに、駆動部材に接続され、カラーレンズが駆動部材により駆動され、枢着棒を中心軸として回転されることが好ましい。
【０００９】
枢着部は、１対の突片部であり、枢着棒は、カラーレンズの側部にカラーレンズに対して平行に設けられ、突片部に両端がそれぞれ枢着されることが好ましい。
【００１０】
駆動部材は、第１の歯車と接続された出力軸を有するモータであり、カラーレンズの枢着棒は、第２の歯車に接続され、第１の歯車と第２の歯車とが噛合されることが好ましい。
【００１１】
駆動部材は、枢着棒が接続されたサーボモータであることが好ましい。
【００１２】
駆動部材は電磁石であり、電磁石は、伸縮自在のカップリング部材と接続され、カップリング部材の他端には、鉄ブロックが設けられ、鉄ブロック上には、接続孔が形成され、カラーレンズ上には接続孔に対応するように接続ピンが設けられ、接続ピンは、枢着孔内に枢着されるとともに、弾性部材を含み、弾性部材は、一端が固定フレームに接続され、他端が接続ピンに接続されることが好ましい。
【００１３】
枢着部は枢着孔であり、枢着棒は、カラーレンズの側部にカラーレンズに対して垂直に配設され、枢着孔に枢着される自由端を有することが好ましい。
【００１４】
駆動部材は、ギザギザに接続された伸縮ロッドを有するシリンダであり、枢着棒は、ギザギザと噛合される第３の歯車に接続されることが好ましい。
【００１５】
回転機構は、固定フレームを有し、固定フレーム上には、穿孔が形成されるとともに、固定フレームの側部に駆動部材を設け、駆動部材は、モータであり、モータは出力軸を有し、出力軸が穿孔に貫設され、カラーレンズは、固定フレームの他側に設けられ、カラーレンズ上には、穿孔に対応した貫通孔が形成され、出力軸を貫通孔へ挿着させ、カラーレンズを出力軸に応じて駆動させ、出力軸を中心軸として発光源を回転させることが好ましい。
【００１６】
回転機構は、固定フレームを有し、固定フレーム上には、筐体が枢着され、筐体の外周側面には、歯部が設けられ、固定フレーム上には、出力軸を有するモータである駆動部材が配設され、出力軸には、第１の歯車が接続され、第１の歯車は、歯部に噛合されることが好ましい。
【考案の効果】
【００１７】
本考案のランプの色温度可変装置は、ユーザが回転機構を介してカラーレンズを回転させることにより、カラーレンズを第１の位置と第２の位置との間で切換え、発光源からの光線を直接投射するか、まず、カラーレンズへ透過させて色温度を変化させてから投射し、環境の違いに応じて色温度を調整することができる。
【図面の簡単な説明】
【００１８】
【図１】図１は、本考案の第１実施形態に係るランプの色温度可変装置を示す斜視図である。
【図２】図２は、本考案の第１実施形態に係るランプの色温度可変装置を示す分解斜視図である。
【図３】図３は、本考案の第１実施形態に係るランプの色温度可変装置を示す使用概念図である。
【図４】図４は、本考案の第１実施形態に係るランプの色温度可変装置を示す使用概念図である。
【図５】図５は、本考案の第２実施形態に係るランプの色温度可変装置を示す平面図である。
【図６】図６は、本考案の第３実施形態に係るランプの色温度可変装置を示す断面図である。
【図７】図７は、本考案の第４実施形態に係るランプの色温度可変装置を示す分解斜視図である。
【図８】図８は、本考案の第５実施形態に係るランプの色温度可変装置を示す分解斜視図である。
【図９】図９は、本考案の第６実施形態に係るランプの色温度可変装置を示す平面図である。
【考案を実施するための形態】
【００１９】
以下、本考案の実施形態について図面に基づいて説明する。なお、これによって本考案が限定されるものではない。
【００２０】
（第１実施形態）
図１〜図４を参照する。図１は、本考案の第１実施形態に係るランプの色温度可変装置を示す斜視図である。図２は、本考案の第１実施形態に係るランプの色温度可変装置を示す分解斜視図である。図３は、本考案の第１実施形態に係るランプの色温度可変装置を示す使用概念図である。図４は、本考案の第１実施形態に係るランプの色温度可変装置を示す使用概念図である。図１〜図４に示すように、本考案の第１実施形態に係るランプの色温度可変装置１００は、少なくともランプホルダ１０、回転機構２０、カラーレンズ３０及びレンズ４０から構成される。
【００２１】
ランプホルダ１０は、前部１１と、前部１１と対をなす後部１２とを有する。ランプホルダ１０の前部１１には、反射槽１３が凹設される。反射槽１３内には、電球である発光源１４が設けられる。
【００２２】
回転機構２０は、ランプホルダ１０に配設され、固定フレーム２１を有する。固定フレーム２１上には、１対の突片部２２１である枢着部２２と、駆動部材２３とが配設される。駆動部材２３は、第１の歯車２３３と接続された出力軸２３２を有するモータ２３１である。
【００２３】
カラーレンズ３０は、発光源１４の前方に配設され、回転機構２０と接続される。第１実施形態のカラーレンズ３０上には、枢着棒３１が設けられる。枢着棒３１は、カラーレンズ３０の側部にカラーレンズ３０に対して平行に設置され、複数の突片部２２１に両端がそれぞれ枢着され、枢着棒３１が枢着部２２に枢着されるとともに、枢着棒３１に第２の歯車３２が接続され、第２の歯車３２と第１の歯車２３３とが噛合されて枢着棒３１と駆動部材２３とが接続される。
【００２４】
上述した構造により、カラーレンズ３０は、回転機構２０により駆動され、枢着棒３１を中心軸として発光源１４を回転させて図３の第１の位置及び図４の第２の位置を形成し、第１の位置に位置するときに、カラーレンズ３０が発光源１４の前方から離れ、第２の位置にあるときに、カラーレンズ３０が発光源１４の前方に止められる。
【００２５】
レンズ４０は、ランプホルダ１０の前部１１に固着され、カラーレンズ３０の前方に位置する。
【００２６】
図３及び図４を参照する。図３及び図４に示すように、ユーザが駆動部材２３をオンすると、モータ２３１の出力軸２３２が回転し、第１の歯車２３３により第２の歯車３２を駆動させて枢着棒３１を回転させ、カラーレンズを第１の位置と第２の位置との間で交換する。これにより、常態下でユーザは図３に示すように、カラーレンズ３０が第１の位置に位置し、発光源１４からの光線がランプホルダ１０前方へ向かって投射され、ユーザが色温度を変える場合、図４に示すように、ユーザは回転機構２０によりカラーレンズ３０を第２の位置まで回転させ、発光源１４からの光線が、まず、カラーレンズ３０に透過されて色温度が変化した後、ランプホルダ１０の前方へ向けて投射される。このように異なる環境に応じて色温度を調整することができる。
【００２７】
以下、例を挙げて説明する。例えば、発光源１４は、６５００Ｋの高強度ガス放電ランプを採用し、カラーレンズ３０には黄色レンズが採用されているため、ランプの色温度可変装置１００が常態下で照明が明るくなり、雨、霧など視界が良好でない環境では、カラーレンズ３０を第２の位置まで回転させて光線をカラーレンズ３０に透過させ、レンズ４０に透過させて濾過し、光線の色温度を変化させて黄色を発生させ、光線の透過性を高めてもよい。
【００２８】
（第２実施形態）
図５を参照する。図５は、本考案の第２実施形態に係るランプの色温度可変装置を示す平面図である。図５に示すように、第２実施形態に係るランプの色温度可変装置１００は、第１実施形態と異なり、モータ２３１の代わりにサーボモータ２３４を駆動部材２３として用い、サーボモータ２３４には、枢着棒３１が接続され、サーボモータ２３４を介して枢着棒３１を回転させ、カラーレンズ３０は、枢着棒３１を中心軸として回転させ、第１の位置と第２の位置とを交換し、第１実施形態と同様に、ユーザはカラーレンズ３０の位置を調整し、発光源１４が発射した光線を直接投射させるか、まず、カラーレンズ３０に透過させてから色温度を変化させて投射し、環境の違いに応じて色温度などを調整することができる。勿論、サーボモータ２３４内には、減速機構（図示せず）を配設して枢着棒３１の回転安定性を高めてもよいが、この減速機構については従来の部材であるため、ここでは詳しく述べない。
【００２９】
（第３実施形態）
図６を参照する。図６は、本考案の第３実施形態に係るランプの色温度可変装置を示す断面図である。図６に示すように、第３実施形態に係るランプの色温度可変装置１００は、第１実施形態と異なり、伸縮自在のカップリング部材２４に接続された電磁石２３５を駆動部材２３として用いる。カップリング部材２４の他端には、鉄ブロック２５が設けられる。鉄ブロック２５上には、枢着孔２５１が形成され、カラーレンズ３０上には枢着孔２５１に対応するように接続ピン３５が設けられる。接続ピン３５は、枢着孔２５１内に枢着されるとともに、ばね２６をさらに含む。ばね２６は、一端が固定フレーム２１に接続され、他端が接続ピン３５に接続され、電磁石２３５に通電すると、鉄ブロック２５が磁気吸引され、鉄ブロック２５が電磁石２３５に近づき、カラーレンズ３０は、枢着棒３１を中心軸として回転し、第１の位置に位置するときに電磁石２３５への通電を停止し、ばね２６によりカラーレンズ３０を牽引して反対方向へ回転させ、カラーレンズ３０を第２の位置に位置する。これにより、第１実施形態と同様に、ユーザは、カラーレンズ３０の位置を調整し、発光源１４からの光線を直接投射するか、まず、カラーレンズ３０へ透過させてから色温度を変化させて投射し、環境の違いに応じて色温度を調整することができる。
【００３０】
（第４実施形態）
図７を参照する。図７は、本考案の第４実施形態に係るランプの色温度可変装置を示す分解斜視図である。図７に示すように、第４実施形態に係るランプの色温度可変装置１００は、第１実施形態と異なり、固定フレーム２１の枢着部２２が枢着孔２２２であり、駆動部材２３はシリンダ２３６である。シリンダ２３６は、ギザギザ２７に接続された伸縮ロッド２３７を有する。カラーレンズ３０の枢着棒３１は、カラーレンズ３０の側部にカラーレンズ３０に対して垂直に設けられ、枢着棒３１の自由端は、枢着孔２２２に枢着され、第３の歯車３３が接続される。第３の歯車３３は、ギザギザ２７に噛合され、カラーレンズ３０は伸縮ロッド２３７により駆動し、枢着棒３１を中心軸として発光源１４を回転させ、第１実施形態と同様に、ユーザはカラーレンズ３０の位置を調整し、発光源１４からの光線を直接投射するか、まず、カラーレンズ３０へ透過させて色温度を変化させて投射し、環境の違いに応じて色温度を調整することができる。
【００３１】
（第５実施形態）
図８を参照する。図８は、本考案の第５実施形態に係るランプの色温度可変装置を示す分解斜視図である。図８に示すように、第５実施形態に係るランプの色温度可変装置１００は、第１実施形態と異なり、固定フレーム２１上に形成した穿孔２８により枢着部２２を代替するとともに、固定フレーム２１の側部に駆動部材２３を設ける。駆動部材２３は、第１実施形態と同様に、モータ２３１であり、モータ２３１の出力軸２３２が穿孔２１１に貫設され、カラーレンズ３０は、固定フレーム２１の他側に設けられる。カラーレンズ３０上には、穿孔２１１に対応した貫通孔３４が形成され、出力軸２３２を貫通孔３４へ挿着し、カラーレンズ３０を出力軸２３２に応じて駆動させ、出力軸２３２を中心軸として発光源１４を回転させ、第１実施形態と同様に、ユーザはカラーレンズ３０の位置を調整し、発光源１４からの光線を直接投射するか、まず、カラーレンズ３０へ透過させて色温度を変化させた後に投射し、環境の違いに応じて色温度を調整することができる。
【００３２】
（第６実施形態）
図９を参照する。図９は、本考案の第６実施形態に係るランプの色温度可変装置を示す平面図である。図９に示すように、第６実施形態に係るランプの色温度可変装置１００は、第１実施形態と異なり、固定フレーム２１上には、筐体２９が枢着され、筐体２９の外周側面には、歯部２９１が設けられるとともに、固定フレーム２１上に駆動部材２３が配設される。駆動部材２３は、第１実施形態と同様に、モータ２３１であり、モータ２３１の出力軸２３２が第１の歯車２３３に接続される。第１の歯車２３３は、歯部２９１と噛合する。これにより、モータ２３１により筐体２９を回転させ、カラーレンズ３０が筐体２９により回転され、第１の位置と第２の位置との間で切換え、第１実施形態と同様に、ユーザは、カラーレンズ３０の位置を調整することにより、発光源１４からの光線を直接投射させるか、まず、カラーレンズ３０へ透過させて色温度を変化させてから投射させ、環境の違いに応じて色温度を調整することができる。
【００３３】
以上、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００３４】
１０  ランプホルダ
１１  前部
１２  後部
１３  反射槽
１４  発光源
２０  回転機構
２１  固定フレーム
２２  枢着部
２３  駆動部材
２４  カップリング部材
２５  鉄ブロック
２６  ばね
２７  ギザギザ
２８  穿孔
２９  筐体
３０  カラーレンズ
３１  枢着棒
３２  第２の歯車
３３  第３の歯車
３４  貫通孔
３５  接続ピン
４０  レンズ
１００  ランプの色温度可変装置
２１１  穿孔
２２１  突片部
２２２  枢着孔
２３１  モータ
２３２  出力軸
２３３  第１の歯車
２３４  サーボモータ
２３５  電磁石
２３６  シリンダ
２３７  伸縮ロッド
２５１  枢着孔
２９１  歯部
【図１】
0003186372.tif 000003
【図２】
0003186372.tif 000004
【図３】
0003186372.tif 000005
【図４】
0003186372.tif 000006
【図５】
0003186372.tif 000007
【図６】
0003186372.tif 000008
【図７】
0003186372.tif 000009
【図８】
0003186372.tif 000010
【図９】
0003186372.tif 000011